(57)【特許請求の範囲】
【請求項１】
プレート熱交換器（２，８８）のためのエンドピース（４，９０）であって、
内部（４２，１４，１１６）、外部（４４）、および前記内部と外部との間に配置された中間部（４６）を備えたフレーム部（８，１０２）を具備し、
前記内部の外壁面（４８，１５，１２８）は、前記プレート熱交換器内に含まれた熱伝達プレート（１３，１１２）のパッケージ（１２，１１０）の第１面（１７，１４０）に面して配置され、該第１面は中心部（２３，１４５）および該中心部を取り囲んだ周囲部（２５，１４７）を備えたエンドピース（４，９０）において、
前記フレーム部は押出加工されており、前記内部（４２，１４，１１６）、前記外部（４４）、および前記中間部（４６）が一体に形成されており、前記フレーム部の前記中間部は前記フレーム部の押出方向（Ｄ）に延びた第１の数のキャビティ（５２）を具備し、前記押出方向は前記フレーム部の軸（Ｃ）に平行であり、前記内部の外壁面の外形寸法（ｘ１，ｙ１）は、前記熱伝達プレートのパッケージの第１面の前記中心部の外形寸法（ｘ２，ｙ２）と少なくとも同じ大きさであることを特徴とするエンドピース（４，９０）。
【請求項２】
前記フレーム部（８，１０２）の中間部（４６）は、前記フレーム部の外部と内部との間に延びた第２の数の隔離壁（５４）と、第３の数の外部接続領域（６２）を具備した前記外部（４４）の内壁面（５８）と、第４の数の内部接続領域（６０）を具備した前記内部（４２，１４，１１６）の内壁面（５０）と、を具備し、各隔離壁は前記外部接続領域の１つに沿った前記外部、および前記内部接続領域の１つに沿った前記内部と結合していることを特徴とする請求項１に記載のエンドピース（４，９０）。
【請求項３】
前記外部（４４）の内壁面（５８）は、２つの隣接した前記外部接続領域（６２）の間において原則的に平面であることを特徴とする請求項２に記載のエンドピース（４，９０）。
【請求項４】
前記フレーム部（８，１０２）の前記外部（４４）の外壁面（５６）と前記内部（４２）の外壁面（４８，１５，１２８）との間の距離は、前記フレーム部の中央セクション（６４）における距離の方が前記フレーム部の中央セクションの外側における距離よりも大きく、前記中央セクションは前記フレーム部の前記軸（Ｃ）に沿って延びていることを特徴とする請求項２または３に記載のエンドピース（４，９０）。
【請求項５】
前記フレーム部（８，１０２）の前記外部（４４）の外壁面（５６）は、前記フレーム部の前記中間部（４６）から見て外側にアーチ状とされていることを特徴とする請求項４に記載のエンドピース（４，９０）。
【請求項６】
前記フレーム部（８，１０２）の前記内部（４２）の外壁面（４８，１５，１２８）は、前記フレーム部の前記中間部（４６）から見て外側にアーチ状とされていることを特徴とする請求項４または５に記載のエンドピース（４，９０）。
【請求項７】
前記フレーム部（８，１０２）の前記外部（４４）の厚さｔ２は、前記フレーム部の前記内部（４２，１４，１１６）の厚さｔ１よりも小さいことを特徴とする請求項１〜６のいずれか一項に記載のエンドピース（４，９０）。
【請求項８】
前記フレーム部（８，１０２）の前記外部および内部（４４，４２，１４，１１６）の各々は、２つの対向した第１側（３２，３４）を備え、これらは前記軸（Ｃ）に平行であり、これらの第１側に沿って前記外部および内部は互いに接続されていることを特徴とする請求項１〜７のいずれか一項に記載のエンドピース（４，９０）。
【請求項９】
前記フレーム部（８，１０２）の前記中間部（４６）の内部に延びた第６の数のバー（６６）をさらに具備していることを特徴とする請求項１〜８のいずれか一項に記載のエンドピース（４，９０）。
【請求項１０】
前記バー（６６）の各々は、前記フレーム部（８，１０２）の内部の個々の１つの前記キャビティ（５２）に沿って延びていることを特徴とする請求項９に記載のエンドピース（４，９０）。
【請求項１１】
少なくとも１つの前記バー（６６）は前記フレーム部（８，１０２）の外側に延び、且つ２つの対向した第２側（８２，８６）の１つから突出していることを特徴とする請求項９または１０に記載のエンドピース（４，９０）。
【請求項１２】
前記フレーム部（８，１０２）は、前記外部および内部（４４，４２，１４，１１６）を通じて延びた少なくとも１つの凹部（３０，１５２）を具備し、少なくとも１つの前記バー（６６）は前記フレーム部の少なくとも１つの前記凹部と合致した少なくとも１つの穴（７２，７４，７６，７８）を具備し、前記フレーム部と少なくとも１つの前記バーとの間の協働を容易にしていることを特徴とする請求項９〜１１のいずれか一項に記載のエンドピース（４，９０）。
【請求項１３】
前記内部（４２，１４）の前記外壁面（４８，１５）は、前記プレート熱交換器（２）の前記熱伝達プレート（１３）の広がった面に平行に配置されるように形成されていることを特徴とする請求項１〜１２のいずれか一項に記載のエンドピース（４）。
【請求項１４】
前記内部（４２，１１６）の前記外壁面（４８，１２８）は、前記プレート熱交換器（８８）の前記熱伝達プレート（１１２）の広がった面に直交するように配置されるように形成されていることを特徴とする請求項１〜１２のいずれか一項に記載のエンドピース（９０）。
【請求項１５】
前記フレーム部は複数の押出モジュール（１５６，１５８，１６０，１６２，１７８，１８０，１８２）を具備し、該押出モジュールは前記押出方向（Ｄ）に沿って接続されており、
前記複数の押出モジュールを具備する前記フレーム部全体の前記内部の外壁面の外形寸法（ｘ１，ｙ１）は、前記熱伝達プレートのパッケージの第１面の前記中心部の外形寸法（ｘ２，ｙ２）と少なくとも同じ大きさであることを特徴とする請求項１〜１４のいずれか一項に記載のエンドピース（４，９０）。
【請求項１６】
請求項１〜１５のいずれか一項に記載のエンドピース（４，９０）と熱伝達プレート（１３，１１２）のパッケージ（１２，１１０）とを具備したプレート熱交換器（２，８８）であって、
前記エンドピースの前記フレーム部（８，１０２）の前記内部（４２，１４，１１６）の外壁面（４８，１５，１２８）は前記熱伝達プレートのパッケージの第１面（１７，１４０）と面しており、該第１面は中心部（２３，１４５）および該中心部を取り囲んだ周囲部（２５，１４７）を備え、前記内部の外壁面の外形寸法（ｘ１，ｙ１）は、前記熱伝達プレートのパッケージの第１面の前記中心部の外形寸法（ｘ２，ｙ２）と少なくとも同じ大きさであることを特徴とするプレート熱交換器（２，８８）。
【請求項１７】
前記フレーム部（８）の前記内部（４２，１４）の外壁面（４８，１５）は、前記熱伝達プレート（１３）の広がった面に平行に配置されていることを特徴とする請求項１６に記載のプレート熱交換器（２）。
【請求項１８】
前記フレーム部（１０２）の前記内部（４２，１１６）の外壁面（４８，１２８）は、前記熱伝達プレート（１１２）の広がった面に直交するように配置されていることを特徴とする請求項１６に記載のプレート熱交換器（８８）。
【請求項１９】
プレート熱交換器（２，８８）のためのエンドピース（４，９０）であって、内部（４２，１４，１１６）、外部（４４）、および前記内部と外部との間に配置された中間部（４６）を備えたフレーム部（８，１０２）を具備し、前記内部の外壁面（４８，１５，１２８）は前記プレート熱交換器内に含まれた熱伝達プレート（１３，１１２）のパッケージ（１２，１１０）の第１面（１７，１４０）に面して配置され、該第１面は中心部（２３，１４５）および該中心部を取り囲んだ周囲部（２５，１４７）を備えたエンドピース（４，９０）の製造方法において、該方法は、
前記フレーム部の前記中間部内に含まれた複数のキャビティ（５２）であって、前記フレーム部の押出方向（Ｄ）に沿って延びたキャビティを備えたフレーム部を押し出すステップであって、前記内部（４２，１４，１１６）、前記外部（４４）、および前記中間部（４６）を一体に形成することによって前記フレーム部が形成される、前記ステップを含み、前記押出方向は前記フレーム部の軸（Ｃ）に平行であり、前記内部の外壁面の外形寸法（ｘ１，ｙ１）は、前記熱伝達プレートのパッケージの第１面の前記中心部の外形寸法（ｘ２，ｙ２）と少なくとも同じ大きさであることを特徴とするエンドピース（４，９０）の製造方法。
【発明の詳細な説明】
【技術分野】
【０００１】
本発明はプレート熱交換器のためのエンドピース、そのようなエンドピースを具備したプレート熱交換器、およびそのようなエンドピースの製造方法に関する。エンドピースはフレーム部を具備し、フレーム部は内部、外部、および内部と外部との間に配置された中間部を具備している。内部の外壁面は、プレート熱交換器に含まれた熱伝達プレートのパッケージの第１面に面するように配置されている。第１面は中心部、およびこの中心部を取り囲んだ周囲部を備えている。
【背景技術】
【０００２】
プレート熱交換器またはＰＨＥｓは、一般的に２つのエンドピースまたはプレートから成り、それらの間には複数の熱伝達プレートがパッケージ内に整列されて配列されている。周知のＰＨＥｓの１つのタイプは、いわゆるガスケットプレート熱交換器であり、ガスケットが熱伝達プレートの間に配置されている。プレートの末端、したがって熱伝達プレートの末端は互いに向かって押圧され、これによってガスケットは熱伝達プレート間をシールしている。ガスケットは熱伝達プレート間に平行な流れチャネルを形成し、これを通じて初期的に異なった温度の２つの流体は、一方の流体から他方の流体へと熱伝達のために流れることが可能である。
【０００３】
ガスケットプレート熱交換器のエンドプレートは、通常はフレームプレートおよび圧力プレートとして参照されている。フレームプレートはしばしば床のような支持面に固定され、一方で圧力プレートはフレームプレートに対して移動可能である。熱伝達プレートと同様に圧力プレートを担持するためのキャリーバーは、フレームプレートの上部から延びており、一方で圧力プレートおよび熱伝達プレートをガイドするためのガイドバーは、フレームプレートの下部から延びている。さらに、フレームプレートおよび圧力プレートは、複数組みの協働するボルトおよびナットによって互いに接続されている。ボルトは、一般的に圧力プレートおよびフレームプレートの対向した端縁部の個々の開口部を通じて延びており、熱伝達プレートはボルト内に配置されている。ボルトのボルトヘッドはフレームプレートの外側面と係合し、一方でナットはボルトおよび圧力プレートの外側面と係合している。個々のボルトに対してナットを回転させることによって、フレームプレートと圧力プレートとの間の圧力は調節されることが可能である。
【０００４】
漏れのない流れチャネルを備えた堅固なプレート熱交換器を得るために、フレームプレートおよび圧力プレートは互いに向かって強固に押圧されなければならない。しかしながら、ボルトがフレームプレートおよび圧力プレートの端縁部と係合するため、特に流体がプレート熱交換器のチャネルを通過する場合に、プレートの中心部が外側に膨れる危険性がある。代わって、そのような外向きの膨張はチャネルを通じた不均一な流れの原因となり、プレート熱交換器の熱性能を減少させ、またはチャネルの漏れさえも引き起こすかもしれない。このようなことが発生しないことを確実にするために、フレームプレートおよび圧力プレートは比較的厚くなっており、したがって重く、且つ材料消費が多くなる。
【先行技術文献】
【特許文献】
【０００５】
【特許文献１】欧州特許出願公開第２  ５０８  ８３１号明細書
【発明の概要】
【発明が解決しようとする課題】
【０００６】
本発明の目的は、先行技術と比較して軽く且つ材料効率が良い、プレート熱交換器のためのエンドピースを提供することである。本発明の基本的な概念は、非ソリッドのエンドピースを提供することである。本発明の他の目的は、そのようなエンドピースを具備したプレート熱交換器、およびそのようなエンドピースの製造方法を提供することである。エンドピース、プレート熱交換器、および前述の目的を達成するための方法は、添付の請求項において定義され、以下に論じられている。
【課題を解決するための手段】
【０００７】
本発明によるプレート熱交換器のためのエンドピースは、フレーム部を具備している。フレーム部は内部、外部、および内部と外部との間に配置された中間部を備えている。内部の外壁面はプレート熱交換器内に含まれた熱伝達プレートのパッケージの第１面に面して配置されており、第１面が中心部および中心部を取り囲んだ周囲部を備えている。エンドピースは、フレーム部が押出加工されており、フレーム部の中間部はフレーム部の押出方向に延びた第１の数のキャビティを具備していることを特徴としている。押出方向は前記フレーム部の軸に平行である。エンドピースはさらに、内部の外壁面の外形寸法が、熱伝達プレートのパッケージの第１面の中心部の外形寸法と少なくとも同じ大きさであることを特徴としている。
【０００８】
フレーム部が押し出されているので、フレーム部は一体的に形成され得る。したがって、押出は、溶接または機械的締結のような追加の組立作業がフレーム部のキャビティ構造を得るために必要となり得ないので、フレーム部を比較的直接的な方法で製造することを可能にしている。
【０００９】
さらに、フレーム部が押し出されているので、その断面は押出直後において、すなわちフレーム部の任意の機械加工前には軸に沿って一定である。押し出された長さは軸に対して横方法に所望の長さに容易に切断されるので、押出は、異なったプレート熱交換器に適合されたフレームプレートの製造を容易にしている。また、押出は、他の製造技術では実現が非常に困難なデザインを有するフレーム部、したがってエンドピースの製造を可能にしている。それに加えて、フレーム部の特徴は、適切な押出ダイを使用することによって、固有のタイプのプレート熱交器に容易に適合させることが可能なことである。
【００１０】
フレーム部がキャビティを具備し、キャビティは「初期的に」空気で満たされており、空気は多くの押出可能な材料よりも良好な断熱材なので、フレーム部は比較的良好な断熱特性を備えており、この特性はプレート熱交換器の熱交換効率に積極的に寄与し得る。また、この特徴はフレーム部の外部において焦げを発生する危険性を減少し得る。
【００１１】
プレート熱交換器においては、流体は一般的に熱伝達プレートのパッケージの中心、すなわち熱伝達プレートの個々の中心部間を通じて流れる。プレート熱交換器のタイプによって、流体は熱伝達プレートのパッケージの中心の外側、すなわち熱伝達プレートの個々の周囲部間も流れ得るが、必ずしも必要ではない。熱伝達プレートの中心部は、一体となって熱伝達プレートのパッケージの第１面の中心部を形成している。それと同様に、熱伝達プレートの周囲部は、一体となって熱伝達プレートのパッケージの第１面の周囲部を形成している。フレーム部の内部の外壁面は、熱伝達プレートのパッケージの第１面の中心部の外形寸法と少なくとも同じ大きさの外形寸法を有し、外壁面は、外壁面の法線方向から見て、プレートのパッケージの第１面の中心部を覆っていてもよい（少なくとも部分的に入り口および出口がフレーム部を通じて延びていてもよく、それは以下にさらに論じられている）。外壁面は十分な大きさを有し、パッケージの第１面の周囲部も覆っていてもよく、このことは、意図されたプレート熱交換器が、流体が熱伝達プレートのパッケージの中心部の外側も流れるタイプである場合に、利点となり得る。流体がプレートのパッケージの中心部のみを通じて流れ得るプレート熱交換器の一例は、プレート間のガスケットがプレートのパッケージの中心部を形成したガスケットプレート熱交換器である。流体がプレートのパッケージの全体を通じて、すなわち中心部の外側にも流れ得るプレート熱交換器は、全溶接プレート熱交換器である。
【００１２】
「プレートのパッケージの第１面を（少なくとも部分的に）覆った外壁面」との表現は、外壁面が熱伝達プレートのパッケージに接触、または直近に隣接する必要がないことを意味していることが強調されるべきである。例えば、ガスケット、補強プレート、距離プレート、またはそれらに類似したものは、外壁面と熱伝達プレートのパッケージとの間に配置され得る。
【００１３】
熱伝達プレートがパッケージ内で整列された場合、第１面は熱伝達プレートによって形成された三次元オブジェクトを画定した仮想連続平面の面に相当していることが強調されるべきである。
【００１４】
エンドピースは、フレーム部の中間部が、フレーム部の外部と内部との間に延びた第２の数の隔離壁を具備するように構成されることが可能である。外部の内壁面は、第３の数の外部接続領域を具備している。それと同様に、内部の内壁面は第４の数の内部接続領域を具備している。各隔離壁は外部接続領域の１つに沿った外部、および内部接続領域の１つに沿った内部と結合している。これらの隔離壁を適切な配置で設けることによって、比較的強固なフレーム部が比較的少量の材料によって製造されることが可能である。
【００１５】
隔離壁の数、位置、およびデザインは、個別のタイプのプレート熱交換器に適合されることが可能である。
【００１６】
隔離壁は、材料効率の良い方法において顕著にフレーム部を強化し得る補強として機能し、それはキャビティが隣接した２つの隔壁間において完全に空間を占有し、したがって比較的大きいためである。
【００１７】
フレーム部の外部の内壁面は、２つの隣接した外部接続領域間で原則的に平坦であってよい。このデザインは、真っ直ぐな外部に対抗する応力を受けたときに、フレーム部の外部における曲げモーメントを減少し、または排除さえし得るので、有利である。
【００１８】
エンドピースは、フレーム部の外部の外壁面と内部の外壁面との間の距離が、フレーム部の中央セクションにおける距離の方がフレーム部の中央セクションの外側における距離よりも大きく、中央セクションはフレーム部の軸に沿って延びるように形成される。そのようなデザインは、フレーム部がある種の応力を受けた場合に、フレーム部の中央セクションが変形に対してより抵抗するようになる点において、利点となる。
【００１９】
フレームプレートのデザインの一例は、前述の距離の関係性を満足し、フレーム部の外部の外壁面は、フレーム部の中間部から見て、外向きにアーチ状となっていてもよい。
【００２０】
フレームプレートのデザインの別の例は、前述の距離の関係性を満足し、フレーム部の内部の外壁面は、フレーム部の中間部から見て、外向きにアーチ状となっていてもよい。
【００２１】
エンドピースは、フレーム部の外部の厚さがフレーム部の内部の厚さよりも薄くなるように構成されてもよい。当然に、薄い部分は経済的な観点から有利である。
【００２２】
独創的なエンドピースの一実施形態によれば、フレーム部の外部および内部の各々は２つの対向した第１側を備え、それらは前述の軸に平行であり、これらの第１側に沿って前記外部および内部は互いに接続されている。これによって、フレーム部は中間部を取り囲んだ閉鎖された筐体を具備し、このことは初期的に強度に関してだけでなく、フレーム部の衛生状態（キャビティ内に埃が入り込むことを防止している）に関しても利点となる。
【００２３】
エンドピースは、フレーム部の中間部の内部に延びた第６の数のバーをさらに具備している。これらのバーは、異なった方法においてデザインされ且つ配置されて、フレームプレートの異なった特徴を改善し、またはそこにさらに機能を追加することが可能である。一例としては、各バーは、フレーム部内部のキャビティの個々の１つに沿って延びていてもよい。
【００２４】
そのように配列された場合、バーはフレーム部の補強として機能し得る。さらに、少なくとも１つのバーはフレーム部の外側に延び、２つの対向した第２側の１つから突出する。そのように配列された場合、バーはフレーム部のサポート手段且つ／または持ち上げ手段として機能し得る。
【００２５】
さらに、フレーム部は、外部および内部を通じて延びた少なくとも１つの凹部を具備していてもよい。さらに、少なくとも１つのバーは、フレーム部の少なくとも１つの凹部と一致した少なくとも１つの穴を具備していてもよい。これによって、フレーム部と少なくとも１つのバーとの間の協働が容易となり得る。
【００２６】
内部の外壁面は、プレート熱交換器の熱伝達プレートの広がった面に平行に配置されるように形成されてもよい。そのような実施形態と関連して、エンドピースは別の対向したエンドピースに向かって押圧されるように配置され、それらの間に配置された熱伝達プレートを圧縮してもよく、そのことは導入部において述べられている。
【００２７】
それとは異なり、内部の外壁面は、プレート熱交換器の熱伝達プレートの広がった面に直交して配置されるように形成されてもよい。そのような実施形態は、例えば全溶接プレート熱交換器のような冒頭に記載した熱交換器以外の他のタイプのプレート熱交換器に関連して使用されてもよく、それは以下にさらに記載されている。
【００２８】
フレーム部は、押出方向に沿って接続された複数の押出モジュールを具備していてもよい。非常に幅広のオブジェクトを押し出すことは困難であり、それはとりわけ非常に大きい力が大きいダイまたはモールドを通じて押出材料に掛けられる必要があるためである。したがって、現実には、どれだけの幅のオブジェクトが押し出し可能であるかに関しては、一般的に限界がある。したがって、この実施形態は、理論的に無制限の幅を有するエンドピースの製造が可能であり、このことは、本発明が比較的大きいプレート熱交換器に関連しても使用され得ることを意味している。モジュールは、押し出された後に原則的に直接互いに接続されるか、または後の段階において互いに接続されてもよい。後者の代替案は、エンドピースの輸送のような取り扱いを容易にする点において有利となり得る。
【００２９】
本発明によるプレート熱交換器は、前述のようなエンドピースと熱伝達プレートのパッケージとを具備している。エンドピースのフレーム部の内部の外壁面は、熱伝達プレートのパッケージの第１面に面している。第１面は、中心部および中心部を取り囲んだ周囲部を備えている。内部の外壁面の外形寸法は、熱伝達プレートのパッケージの第１面の中心部の外形寸法と少なくとも同じ大きさである。
【００３０】
エンドピースの内部の外壁面は、熱伝達プレートの広がった面に平行に、または直交するように配置されてもよい。
【００３１】
内部、外部、および内部と外部との間に配置された中間部を備えたフレーム部を具備し、内部の外壁面はプレート熱交換器内に含まれた熱伝達プレートのパッケージの第１面に面して配置され、第１面が中心部および中心部を取り囲んだ周囲部を備えたエンドピースの独創的な製造方法は、フレーム部の中間部内に含まれた複数のキャビティを備えたフレーム部を押し出すステップを含んでいる。キャビティはフレーム部の押出方向に延びており、押出方向はフレーム部の軸に平行である。その方法は、熱伝達プレートのパッケージの第１面の中心部の外形寸法と少なくとも同じ大きさの、内部の外壁面の外形寸法を有するフレーム部を押し出すステップを含んでいることをさらなる特徴としている。
【００３２】
本発明は長尺のフレーム部の押出を可能にしており、その長さは後の段階において所望の異なった長さに短く切断されることが可能である。これによって、本発明はプレート熱交換器のエンドピースの非常に迅速かつ柔軟な製造を可能にしている。
【００３３】
本発明は、概略的な図を参照してより詳細に記載されている。
【図面の簡単な説明】
【００３４】
【図０】熱伝達プレートのパッケージを概略的に示した斜視図である。
【図１】ガスケットプレート熱交換器を示した斜視図である。
【図２】図１のプレート熱交換器の側面を示した図である。
【図３】図１のプレート熱交換器の上面を示した図である。
【図４】図１のプレート熱交換器の前面を示した図である。
【図５】図１のプレート熱交換器を製造するためのフレームオブジェクトの上面を示した図である。
【図６】図５のフレームオブジェクトを示した斜視図である。
【図７】図１のプレート熱交換器のバーを示した斜視図である。
【図８】図１のプレート熱交換器の一部を示した斜視図である。
【図９】溶接プレート熱交換器を示した斜視図である。
【図１０】図９の熱交換器の分解図である。
【図１１】２つのフレームオブジェクトモジュールの断面を示した図である。
【図１２】フレームオブジェクトモジュールを示した斜視図である。
【図１３】代替のフレームオブジェクトモジュールの概略を示した上面図である。
【図１４】代替のフレームオブジェクトモジュールの概略を示した前面図である。
【図１５】本発明によるフレーム部に接続可能なサポートを示した斜視図である。
【発明を実施するための形態】
【００３５】
図１〜図４を参照して、ガスケットプレート熱交換器２が示されている。
【００３６】
熱交換器は第１エンドピース４および第２エンドピース６を具備し、これらのエンドピースは冒頭に記載された既知のプレート熱交換器のフレームおよび圧力プレートにそれぞれ相当している。第１エンドピース４は第１フレーム部８を具備し、一方で第２エンドピースは第２フレーム部１０を具備している。個別に且つ概略的に図０に示された熱交換プレート１３の積層物またはパッケージ１２は、第１フレーム部８の内部１４と第２フレーム部１０の内部１６との間、したがって第１エンドピース４と第２エンドピース６との間に配置されている。より具体的には、内部１４の外壁面１５は熱伝達プレート１３のパッケージ１２の第１面１７に面し、一方で内部１６の外壁面１９は熱伝達プレート１３のパッケージ１２の反対側の第２面２１に面している。内部１４および１６、したがって外壁面１５および１９は外形寸法ｘ１およびｘ２を有する。熱伝達プレートのパッケージの第１面および第２面は、熱伝達プレートの広がった面に平行であり、この広がった面は図２および図３の紙面に直交しており、外形寸法ｘ３およびｙ３を有する。さらに、第１面および第２面は各々が外形寸法ｘ２およびｙ２を有する中心部、およびこの中心部を取り囲んだ周囲部を備え、これらの部分は第１面１７に関するもののみが図０において可視化されており、個々に参照符号２３および２５が付されている。図から明確なように、第１エンドピース４の内部１４および第２エンドピース６の内部１６は、ｘ方向において熱伝達プレートパッケージ１２の外側に延びている。ｙ方向において、第１および第２フレーム部ならびにプレートパッケージ１２の延びは原則的に同一である。言い換えると、ｘ１＞ｘ３＞ｘ２且つｙ１＝ｙ３＞ｙ２である。
【００３７】
熱伝達プレート１３は、ここでは個別には図示されていないが、原則的にステンレス鋼製の長方形シートであり、所定のパターンまたはプロファイル、なたびに流体入口ポートおよび流体出口ポートが設けられている。それらは連続的に整列され、プレートはガスケット（図示略）によって互いに離間されて配列されている。熱伝達プレート１３は、ガスケットとともに平行チャネルを形成し、これらのチャネルは１つの流体から他の流体へと熱を伝達するための２つの流体を受容するために配置されている。この目的のために、第１流体はすべての第２チャネル内に流れるように段取りされ、第２流体は残りのチャネル内に流れるように段取りされている。流体は入口を通じて熱交換器２へ供給され、出口を通じて熱交換器２から供給され、熱交換器２は熱伝達プレート１３の入口ポートおよび出口ポートと流体連通しており、第１エンドピース４を通じて延びている。図においては、入口および出口が同じ参照符号１８として示されている。
【００３８】
熱伝達プレート１３を第１エンドピース４と第２エンドピース６との間で整列および支持するために、プレート熱交換器２はキャリーバー２０をさらに具備し、このバーは第２エンドピース６の上部を通じて第１エンドピース４の上部に固定され、且つそこから水平方向に延びている。さらに、ガイドバー２２は、第２エンドピース６の底部を通じて第１エンドピース４の底部に固定され、且つそこから水平方向に延びている。さらに、キャリーバー２０およびガイドバー２２の自由端は、安定性増大のために個々に支持ロッド２４に固定されている。キャリーバーとガイドバーとの係合のために、熱伝達プレート１３ならびに第１および第２フレーム部には、それらの上端部および下端部にそれぞれ凹部が設けられている。
【００３９】
第１および第２流体がチャネルを通じて流れた場合の、熱伝達プレート間のチャネルのリーク防止のために、熱伝達プレートの積層物またはパッケージ１２は圧縮されなければならず、すなわち第１エンドピース４および第２エンドピース６は互いに向かって押圧されなければならない。この目的のために、プレート熱交換器２は、４つのネジ付きボルト２６および４つのナット２８を具備し、第１エンドピース４および第２エンドピース６、またはより具体的には第１フレーム部８および第２フレーム部１０の各々には、４つの凹部３０が設けられており、それらは第１および第２フレーム部の２つの対向した第１側３２および３４または２つの対向した長手側３６および３８に沿って分散されている。各ボルト２６は第１フレーム部８の１つの凹部および第２フレーム部１０の対応した１つの凹部を通じて延びており、１つのナット２８と係合している。ボルト２６のボルトヘッド２６’は第１フレーム部８と係合し、一方でナットは第２フレーム部１０と係合して、第１および第２エンドピースを互いに接続している。ナット２８の締付によって、第１および第２エンドピースは互いに向かってより強固に押圧されている。
【００４０】
ガスケットプレート熱交換器の全体的な機能およびデザインは周知であり、以下に詳細には記載されていない。
【００４１】
本発明の本質は、個々の第１エンドピース４および第２エンドピース６の独特のデザインにある。第１および第２エンドピースの構成は、原則的に同じである。簡素化の目的のために、以下では、第１エンドピースに焦点が当てられている。
【００４２】
前述の通り、第１エンドピース４は第１フレーム部８を具備している。第１フレーム部８は、図５および図６に示されたフレームオブジェクト４０から製造されている。より具体的には、第１フレーム部８はフレームオブジェクト４０内の前述の凹部を切削することによって得られている。したがって、フレームオブジェクト４０の以下に示された特徴は、第１フレーム部８の特徴でもあり、第１フレーム部およびフレームオブジェクトの表現は、これ以降交互に使用されている。
【００４３】
フレームオブジェクト４０はアルミニウム製であり、フレームオブジェクトの長手軸Ｃに平行な押出方向Ｄにおいて押し出されることによって製造されている。したがって、フレームオブジェクト４０の断面は、長手軸Ｃに沿って一定である。フレームオブジェクト４０は内部４２、外部４４、および中間部４６を備えている。内部４２は実際には第１エンドピース４の前述の内部１４を具備し、フレームオブジェクト内から見て、凸形状、または比較的わずかに外側に反ったもしくはアーチ形状とされた外壁面４８と、平坦な内壁面５０と、を備えた一枚壁である。したがって、内部４２の厚さｔ１はフレーム部８の長手軸Ｃに対して横方向において変化しており、長辺側３２および３４から内側に向かって増大している。中間部４６は８つの隔離壁５４によって互いに分離された９つのキャビティ５２を具備し、キャビティおよび隔離壁は第１フレーム部８の長手軸Ｃに沿って延びている。外部４４は、フレームオブジェクト内から見て、平滑な外壁面５６および角を付けた内壁面５８を備えた、角を着けられたまたはアーチ形状とされた一枚壁である。
【００４４】
各隔離壁５４は、第１フレーム部８の内部４２と外部４４との間に延びている。より具体的には、内部４２の内壁面５０は５つの内部接続領域６０を具備し、その領域の１つは図５および図６に破線によって示されており、一方で外部４４の内壁面５８は４つの外部接続領域６２を具備し、その領域の１つは図５に破線によって示されている。すべての接続領域は、第１フレーム部８の長手軸Ｃに沿って延びている。各隔離壁５４は、１つの内部接続領域６０に沿って内部４２と結合し、１つの外部接続領域６２に沿って外部４４の接続している。図から明らかなように、１つまたは２つの隔離壁が各内部接続領域６０と結合し、２つの隔離壁が各外部接続領域６２と結合している。外部４４の内壁面５８は、各２つの隣接した外部接続領域６２の間の平面であり、前述の通り、それが、内壁面が角を付けられている理由である。外壁面５６は平滑であり且つ内壁面５８は角を付けられているので、外部４４の厚さｔ２は第１フレーム部８の長手軸Ｃに対して横方向におよび隣接した２つの外部接続領域間において横方向に変化し、外部接続領域６２から内側に向かって増大している。
【００４５】
したがって、再度図１〜図４に戻ると、プレート熱交換器２を組み立てる場合、熱伝達プレートの積層物１２は第１エンドピース４と第２エンドピース６との間に配置され、プレートはキャリーバー２０およびガイドバー２２と係合する。ボルト２６は、第１フレーム部８の個々の１つの凹部３０および第２フレーム部１０の対応した１つの凹部３０を通じて挿入される。ナット２８は個々の１つのボルト２６に対して回転され且つ締め付けられて、第１エンドピース４および第２エンドピース６を互いに向かって押圧する。第１エンドピースと第２エンドピースとの間の距離が所望の距離となった場合、プレート熱交換器２は使用する準備が完了したことになり、すなわち、プレート熱交換器のチャネルが熱伝達される流体を受け入れる準備ができたことになる。ナットおよびボルトがフレーム部８および１０の端縁領域と係合するので、フレーム部８および１０内の応力は、流体がプレート熱交換器２内を通過するときに最大となり、端縁部から内側に向かって増大し、段縁部間の半分に位置で最大となる。しかしながら、フレーム部８および１０内の内部および外部（フレームオブジェクト４０に関して個々に符号４２および４４で示されている。）は、外側に向かって膨張し、フレーム部はフレーム部の個々の中央セクション（フレーム部８に関して符号６４で示され且つ図１において破線で示されている。）において最強となる。したがって、フレーム部８および１０は、応力下にある場合に、変形に対抗し得る。さらに、フレーム部の外部の内壁面（フレームオブジェクト４０に関して符号５８で示されている。）は個々の外部接続領域間において平面であり、第１エンドピース４および第２エンドピース６が互いに向かって押圧された場合に、原則的に曲げモーメントではなく引張応力のみが外部に発生するので、フレーム部を変形に対してなおさら強く抵抗させる。
【００４６】
押圧を開始する前に、第１エンドピース４の内部１４および第２エンドピース６の内部１６は、前述の通り、個々に外向きに膨張する。これによって、押圧を開始すると、積層物１２の熱伝達プレートは「予備締め付け」の間にそれらの中心部に向かって互いに押圧される。ナット２８がさらに締め付けられると、内部１４および１６の外向きの膨張は徐々に減少する。積層物１２の所望の圧縮が得られた場合、ナットはさらに締め付けられない。この状態、すなわちプレート熱交換器が使用準備完了した状態において、外向きの膨張は原則的にゼロである。このことは、内部１４および１６の外壁面（内部１４に関して符号４８または１５で示され、内部１６に関して符号１９で示されている。）は原則的に平面であり、リーク防止プレート熱交換器を有利に得る。
【００４７】
前述の通り、積層物１２の熱伝達プレートは、ガスケットによって互いに離間されている。図示されていないが、ガスケットは第１エンドピース４および第２エンドピース６と熱伝達プレートの積層物１２との間にも存在している。したがって、第１エンドピース４の内部１４および第２エンドピース６の内部１６は、外壁面（第１フレーム部８に関しては符号４８または１５で示され、内部１６に関しては符号１９で示されている。）全体を支持しているものではない。不均一な支持は、熱伝達プレートのパターンにもよる。
【００４８】
したがって、この部分的な支持による変形に抵抗するために、内部は比較的厚くなっている。より具体的には、内部の厚さｔ１は、外部の厚さｔ２よりも大きい。第１エンドピース４および第２エンドピース６の各々は、類似した鏡像の２つのバー６６を具備しているが、そのうちの１つは６６’の参照符号が付され、図７において個別に示されている。バー６６’は炭素鋼製であり、Ｌ字形状断面、すなわち２つの脚６８’および６８”を有する長い第１部６８、および同じくＬ字形状断面、すなわち２つの脚７０’、および７０”を有する短い第２部７０から成る。第１部６８および第２部７０は、個々にＬ字形状を形成して恒久的に結合されている。第１部６８の脚６８’は３つの穴７２、７４、および７６を具備し、第２部７０の脚７０’は１つの穴７８を具備している。バー６６’は、第１フレーム部８の中間部４６のキャビティ５２の外側キャビティ５２’を通じて、その長手軸Ｃに平行に延びるように配置されている。より具体的には、バー６６’の脚６８’は内部１４の内壁面５０と係合するように配置され、一方でバー６６’の脚６８”は外側キャビティ５２’を画定した隔離壁５４と係合するように配置されている。キャビティ５２’内のバー６６’の正確な配置のために、フレーム部８は、内壁面５０から延びた突起８０と、外側キャビティ５２’を画定した隔離壁５４から延びた突起８２と、を具備している。突起８０および８２は、脚６８’および６８”の個々の遠位端縁と係合するように配置されている。
【００４９】
バー６６’は第１フレーム部８よりも長く、２つの対向した第２側または短辺側８４および８６から突出しており、それは図４に示されている。これによって、穴７２は第１フレーム部８の外側、より具体的には同じ部位の上側に配置されている。同様に、穴７８は第１フレーム部８の外側、より具体的には同じ部位の下側に且つ地面に面して配置されている。しかしながら、穴７４および７６は第１フレーム部８内に配置されている。より具体的には、それらは個々の凹部３０の１つと整列され得る。
【００５０】
前述の通り、プレート熱交換器２の組み立て時において、ボルト２６は第１および第２フレーム部の凹部３０を通じて挿入される。それらの接続において、ボルト２６は第１フレーム部のバーの１つおよび第２フレーム部のバーの１つを通じても挿入される。バー６６’に関して、ボルトは脚６８”の穴７４および７６を通じて挿入される。ナット２８が締められると、バー６６はフレーム８および１０に対して固定される。バー６６は、フレーム部が比較的弱い凹部３０の周囲の補強材として機能する。補強バー６６が無い場合、ナットの締め付けに関連してフレーム部の凹部３０の周囲の領域が破壊する危険があり得る。
【００５１】
ここで使用されたように、ナットの締め付けは相対動作を参照している。したがって、ナットの締め付けは、ナットまたはボルトのいずれかを回転することによって達成され得る。そのようなわけで、バー６６は、従来の六角形輪郭のような特定のデザインを有するナットの締め付けに関連したロック手段としても機能し得るものであり、他の１つのバー６６の６６”を図８に示している。図に見られるように、バーのＬ字形状、より具体的には穴を具備していないバーの脚は、ナットが回転することを防止し得る。したがって、適切に設計されたボルトヘッド、すなわちソケットヘッドボルトのような、バーの存在によって回転することが防止されたボルトヘッドを備えたボルトを使用することによって、エンドピースは、手でナットを保持することなくボルトヘッドを回転させることによって、互いに向かって押圧され得る。また、穴を具備したバーの脚は、従来のプレート熱交換器のボルトおよびナットに必要なワッシャの必要性を排除し得る。
【００５２】
したがって、バー６６は補強およびロック機能を備えている。しかしながら、他の巧みな機能もバーに統合され得る。フレーム部８および１０上に配置されたバー６６の穴（バー６６’では７２で示されている。）は、プレート熱交換器の持ち上げが必要とされればいつでも持ち上げ手段として使用され得る。実際に、これらの穴は、バーのＬ字形状のためにボルトが存在しているか否かにかかわらず、持ち上げ手段として使用され得る。短いバーの第２部は、フレーム部のより低い短辺側に対して自己ロックし得る。さらに、フレーム部の下に配置されたバー６６の穴（バー６６’では７８で示されている。）は、プレート熱交換器２の固定および支持のための、例えば地面へアンカー留めされたボルトと協働するように配置された、取付デバイスとして使用され得る。これらの持ち上げおよび固定機能のバーへの統合は、プレート熱交換器の固定および持ち上げのための従来の手段の必要性を排除している。そのような従来の手段は、エンドピースが熱伝達プレートよりも長く、エンドピースと持ち上げおよび固定手段との間において係合可能であることを必要とする。持ち上げおよび固定手段がここで提案されたようなバーに統合された場合、エンドピースは熱伝達プレートと同じ長さと有することが可能であり、それは材料効率が良い。
【００５３】
プレート熱交換器２の支持ロッド２４およびバー６６は、プレート熱交換器をより安価に且つより組立容易にする点において類似していることが理解される。
【００５４】
さらに、フレーム部の短辺側が、いくつかの図からわかるように、筐体によって閉鎖されていることが理解される。この理由は、衛生および審美的なものである。
【００５５】
図９および１０を参照すると、全溶接ブロック型プレート熱交換器８８が部分的に図示されている。この熱交換器は個々に第１、第２、第３、第４、第５、および第６エンドピース９０、９２、９４、９６、９８、および１００を具備している。第１、第２、第３、および第４エンドピースは、プレート熱交換器８８の側部パネルであり、それらはすべて原則的に前述のエンドピース４および６と同様に構成されている。第１、第２、第３、および第４エンドピースは、それぞれ１つの第１第２、第３、および第４フレーム部１０２、１０４、１０６、および１０８を個々に具備している。第５および第６エンドピースは、プレート熱交換器８８の上部および底部ヘッドであり、それらは両方とも従来のデザインである。しかしながら、代替的な実施形態においては、第５および第６エンドピースも前述のエンドピース４および６と原則的に同様に構成され得る。
【００５６】
プレート熱交換器８８は、熱伝達プレート１１２の積層物またはパッケージ１１０をさらに具備している。熱伝達プレートのパッケージは、全溶接されており、そのために、熱伝達プレートの間にプレート間の流れチャネルの適切なシールのためのガスケットを必要としない。第１、第２、第３、第４、第５、および第６エンドピース９０、９２、９４、９６、９８、および１００は、個々にボルト留め（ボルトは図示略）されるように、角部のけた１１４のセットに配列され、熱伝達プレート１１２のパッケージ１１０の周囲に箱状の筐体を形成している。したがって、組み立てられた熱交換器８８においては、プレートパッケージ１１０は、第１、第２、第３、第４、第５、および第６エンドピース９０、９２、９４、９６、９８、および１００の個々の内部１１６、１１８、１２０、１２２、１２４、および１２６内に配置されている。より具体的には、内部１１６、１１８、１２０、１２２、１２４、および１２６の個々の外壁面１２８、１３０、１３２、１３４、１３６、および１３８は、熱伝達プレート１１２のパッケージ１１０の個々の１つの第１面１４０、第２面１４２、第３面１４４、第４面１４６、第５面１４８、および第６面１５０に面している。各内部、したがって各外壁面は、外径寸法ｘ１およびｘ２を有する。熱伝達プレートのパッケージ１１０の第１面１４０および第２面１４２は対向しており、熱伝達プレート１１２の広がった面に直交している。同様に、第３面１４４および第４面１４６は対向しており、熱伝達プレート１１２の広がった面に直交している。第１面、第２面、第３面、および第４面の各々は、外径寸法ｘ３およびｙ３を有する。さらに、第１、第２、第３、第４面の各々は、外形寸法ｘ２およびｙ２を有する中心部ならびに中心部を取り囲んだ周囲部を備え、それらの部分は、図１０において、第１面に関して符号１４５および１４７で示されている。第５面１４８および第６面１５０は対向しており、熱伝達プレート１１２の広がった面に平行である。
【００５７】
図から明らかなように、第１、第２、第３、および第４エンドピース９０、９２、９４、および９６の内部１１６、１１８、１２０、および１２２は、熱伝達プレートのパッケージ１１０の外側に広がっている。言い換えると、ｘ１＞ｘ３＞ｘ２且つｙ１＞ｙ３＞ｙ２である。
【００５８】
前述の通り、エンドピースは角部のけたにボルト留めされるように配置されている。より具体的には、第１、第２、第３、および第４フレーム部１０２、１０４、１０６、および１０８の各々には、長手端部に沿って凹部１５２が設けられている。ボルトは、個々の１つの凹部１５２を通じて且つ１つの角部のけた１１４の対応した孔１５４内にさらに延びるように配置されている。
【００５９】
全溶接ブロック型プレート熱交換器の機能およびデザインは周知であり、ここでは詳細に記載されていない。特に、本発明と関連のない全溶接ブロック型プレート熱交換器の構成部品は、ここでは記載されていない。その代わりに、特許文献１を参照されたく、その内容は参照することによってここに含まれている。
【００６０】
前述の通り、プレート熱交換器２の第１エンドピース４および第２エンドピース６の構成、およびプレート熱交換器８８の第１エンドピース９０、第２エンドピース９２、第２エンドピース９４、および第２エンドピース９６の構成は、原則的に類似している。したがって、第１エンドピース４に焦点を当てた先の記載は、エンドピース９０、９２、９４、および９６にも当てはまる。しかしながら、溶接熱交換器のエンドピースが、何らかの方法でガスケット熱交換器のエンドピースと異なるようにすることが可能である。一例としては、溶接熱交換器のエンドピースを形成するためのフレームオブジェクト４０の内部４２は平坦且つ均一の厚さであってよく、それは溶接熱交換器のエンドピースは熱伝達プレート１１２のパッケージ１１０を圧縮するように配置されないからである。
【００６１】
当然に、図示されていないが、溶接熱交換器の１つ以上のエンドピースは、前述のバー６６に類似したバーを具備していてもよい。
【００６２】
前述の通り、押し出し得るオブジェクトがどの程度の幅であるかに関して制限が存在する。最大押出幅を超えた幅を有するエンドピースの形成を可能にするために、エンドピースのフレーム部、すなわちフレーム部から形成されたフレームオブジェクトは、複数の押し出されたモジュールを具備していてもよい。そのようなモジュール１５６、１５８、１６０、および１６２、ならびにフレームオブジェクト１６４は、図１１および図１２に示されている。モジュールは、押出方向（Ｄ）に平行に延びたジョイント１６６に沿って、並んで溶接して接続されている。各２つのモジュールは対向した２つのジョイントによって接続され、１つのジョイントは少なくとも部分的にフレームオブジェクト１６４の内部１６８を通じて延びており、もう１つのジョイントは、少なくとも部分的にフレームオブジェクト１６４の外部１７０を通じて延びている。図１１において、モジュール１５６および１５８の接続面１７２が示されている。フレームオブジェクトの組み立てにおいて、各モジュールの各接続面１７２は、隣接した１つのモジュールの対応した接続面１７２の１つに溶接される。接続面は、個々の１つのモジュールの境界面１７４から少なくとも部分的に突出している。これによって、モジュール間の密接な当接を達成することが容易になっている。これは、境界面が完全な平面となり得ないため、２つの境界面の間の密接な当接を達成することが困難となり得るからである。したがって、互いに対してモジュールを溶接した後、各２つのモジュール間には狭い中央スロットが存在し得る。
【００６３】
モジュールは、異なった溶接技術によって互いに溶接され得る。そのような技術の一例は摩擦撹拌溶接であり、この技術によって、モジュールは迅速に且つ強固に接続され得る。より具体的には、摩擦撹拌溶接によって達成可能な溶接接合部は、モジュール構造の他の部分と同等程度に強固である。さらに、摩擦撹拌溶接によって、（前述の）２つのモジュール間の対向した溶接接合部のような１つ以上の溶接接合部が、同時に実行されることが可能であり、それは製造速度を速くすることが可能である。
【００６４】
さらに、長尺モジュールが一体に溶接されて長尺フレームオブジェクトを製造することが可能であり、このフレームオブジェクトは後の段階で所望の長さに短く切断されてもよい。当然に、溶接以外の他のモジュール接続技術が考慮され得る。例えば、モジュールは一体に接着またはネジ留めされ得る。
【００６５】
別の例として、モジュールは数種類の機械的な自己ロック手段によって接続され得る。図１３は、雄モジュール１７８、雌モジュール１８０、および外側モジュール１８２を具備した、押出モジュールのフレームオブジェクト１７６を示している。雄モジュール１７８は、突起１８４および溝１８６を具備している。雌モジュール１８０は、２つの溝１８８および１９０を具備している。外側モジュール１８２は２つの突起１９２および１９４を具備している。すべての溝および突起は、押出方向Ｄに沿って延びている。図１３に示されたように、雄モジュール１７８の突起１８４は雌モジュール１８０の溝１８８内に受容され、外側モジュール１８２の突起１９２は雌モジュール１８０の溝１９０に受容され、外側モジュール１８２の突起１９４は雄モジュール１７８の溝１８６内に受け入れられ、フレームオブジェクト１７６を組み立てている。
【００６６】
当然に、押出モジュールのフレームオブジェクトは、多数の異なった方法において構成され得る。例えば、それは一組以上の協働する突起および溝によって接続されるのみの、雄モジュールおよび雌モジュールを具備し得る。それは、２つのエンドモジュール、および理論的に任意の数の中間モジュールも具備することが可能であり、中間モジュールは類似または異なったものであり、すべてがある種の自己ロック手段および／または溶接および／または他の接続手段によって一列に接続され得る。異なった種類の自己ロック手段は本発明に関連しても考えられ、それは例えばダブテール（dove tail）形状の突起および溝の千鳥配列のようなものである。
【００６７】
フレームオブジェクトの押出モジュールは、異なった幅および／または異なった長さのモジュールを具備することが考えられる。図１４は、原則的に２つの類似したエンドモジュール１９８およびより幅広且つより長い中間モジュール２００を具備し、キャリーバーおよびガイドバー、ボルトの締め付け、ならびに持ち上げ手段、支持手段、および固定手段のような特徴を提供した押出モジュールのフレームオブジェクト１９６を示している。したがって、フレームオブジェクト１９６は、局部的により大きくなるように寸法決定されており、その部位は結果として生じるエンドピースにおける固有の特徴を統合する必要がある部位であり、このことはスペースを削減するだけでなく材料も、したがって費用も削減する。
【００６８】
したがって、前述の新規なプレート熱交換器の核は、押し出された、非ソリッドのフレーム部である。押出によって、比較的複雑なデザインを有するフレーム部の製造が可能であり、そのデザインは変形に抵抗し、効果的な荷重分散に寄与している。また、フレーム部は非常に材料効率が良く、経済的観点から利点がある。また、フレーム部はキャビティを具備し、且つアルミニウムのような比較的低密度の材料から形成されているので、比較的軽量である。フレーム部に関してアルミニウムを使用する１つの利点は、従来の炭素鋼製エンドピースのように、塗装して耐久性を高める必要がないことである。
【００６９】
前述の本発明の実施形態は、例のみとして見られるべきである。当業者は、論じられた実施形態は本発明の概念から逸脱することなく多数の方法において変化され且つ結合され得ることを認識する。
【００７０】
一例としては、フレーム部は、鋼またはポリマのような任意の適切な、押し出し可能な材料から形成されることが可能である。
【００７１】
別の例としては、本発明は、準溶接プレート熱交換器および恒久的に結合された熱伝達プレートを備えたすべてのタイプのプレート熱交換器のような、任意のタイプのプレート熱交換器と関連して使用され得る。
【００７２】
これまでに特定され且つ図示されたエンドピースのデザインは、例示の目的のみである。したがって、フレーム部は任意の数のおよび任意のデザインのキャビティおよび隔離壁を具備し得る。隔離壁はストレートである必要はなく、角度を付けられまたは湾曲して互いに接続されていてもよく、例えばフレーム部内において格子状構造を形成していてもよい。さらに、隔離壁は変化した厚さを有することが可能であり、１つの隔離壁のデザインは別の隔離壁のデザインと異なり得る。さらに、フレーム部の外部および内部は、長辺側において互いに離間され得る。そのうえ、フレーム部の外部の外壁面は、平滑である代わりに、内壁面のように角を付けられていてもよい。また、１つ以上の隔離壁は、フレーム部の内部および外部の１つの内部接触領域および１つの外部接触領域の各々と結合することが可能である。
【００７３】
さらに、前述のバーと異なったデザインを有するバーが使用され得る。例えば、長方形断面またはＵ字形状断面を備えたバーが、Ｌ字形状断面を備えたバーの代わりに使用され得る。当然に、バーのデザインはそれらの機能を画定している。さらに、１つ以上のバーが１つのおよび同じキャビティ内に延びていてもよい。また、バーは完全にキャビティに沿って延びている必要はない。最後に、バーは外側キャビティ以外のキャビティ内に配置され得る。
【００７４】
前述の通り、フレーム部の第２または短辺側は筐体によって閉鎖されてもよく、バーはフレーム部を通じて、とりわけフレーム部の支持および固定のために、同一の底部の短辺側を越えて延びていてもよい。代替的な実施形態によれば、独創的なフレーム部には、図１５中において符号２０２によって示されたポリマサポートが設けられ得る。サポート２０２は、短辺側８６からフレームオブジェクト４０のキャビティ５２内に挿入され（図４および図５参照）且つこれらのキャビティを形成した内壁と係合するように配置された複数の突起２０４を具備している。サポートのベース２０６は、フレームオブジェクトまたはフレーム部の外側に延びるように配置され、地面と接触するように形成された脚２０８を具備している。図１５から明らかなように、サポート２０２は部分的に中空構造であってよく、骨格２１０およびキャビティ２１２を具備し、それらは軽量且つ材料効率が良いが強固なサポートを形成している。サポート２０２が設けられたフレーム部に関して、低部の短辺側を閉鎖するための筐体は必要ない。さらに、存在するのであれば、バーは低部の短辺側を越えて延びる必要はない。これは、サポートが低部の短辺側近傍に配置され、且つフレーム部を支持しているためである。
【００７５】
当然に、サポート２０２はポリマ材料以外の他の材料とし得る。前述のフレーム部の内部は、原則的に平坦な内壁面およびわずかに凸形状の外壁面を備えている。したがって、内部の厚さは変化している。もちろん、フレーム部内部の他のデザインが可能である。一例としては、フレーム部内部の内壁面および外壁面はわずかに凸形状とし得る。それとは異なり、前述したように、それらは原則的に両方とも平坦とし得る。いずれの場合においても、内部はその結果一定の厚さを有する。
【００７６】
前述のプレート熱交換器においては、ボルトおよびナットが配置され、互いに且つエンドピースを互いに向かって押圧するようにフレーム部の凹部と協働している。当然に、他の手段がエンドピースを互いに向かって押圧するように使用され得る。
【００７７】
前述の支持ロッドは、バーが両方のエンドピースに関して支持および固定の解決策を提言するために、いくつかのプレート熱交換器に関連して必要とはなり得ない。
【００７８】
前述のＬ字形状のバーは、ナットのためのロックの解決策を提言している。当然に、バーは代わってボルトヘッドのためのロックの解決策を提言している。それらによって、エンドピースはボルトの代わりにナットを回転させることによって互いに向かって押圧される。さらに、他のロックの解決策が考えられる。一例としては、ナットまたはボルトヘッドは、例えば溶接してバーに恒久的に取り付けられ得る。
【００７９】
本発明に想到した詳細な記載が省略されており、且つ図が概略的で正確に縮尺されていないことは、強調されるべきである。また、いくつかの図が他の図よりもより簡素化されていることも理解されるべきである。したがって、いくつかの構成部品は一図において記載されているが、他図において省略されている。
【符号の説明】
【００８０】
２，８８  ・・・プレート熱交換器
４  ・・・第１エンドピース
６  ・・・第２エンドピース
８  ・・・第１フレーム部
１０  ・・・第２フレーム部
１２，１１０  ・・・パッケージ
１３，１１２  ・・・熱伝達プレート
１４，１６  ・・・内部
１５，１９  ・・・外壁面
２０  ・・・キャリーバー
２２  ・・・ガイドバー
２３  ・・・中心部
２４  ・・・支持ロッド
２５  ・・・周囲部
２６  ・・・ボルト
２８  ・・・ナット
３０  ・・・凹部
４０，１７６，１９６  ・・・フレームオブジェクト
５０  ・・・内壁面
５２  ・・・キャビティ
５４  ・・・隔離壁
５６  ・・・外壁面
５８  ・・・内壁面
６０  ・・・内部接続領域
６２  ・・・外部接続領域
６４  ・・・中央セクション
１５６，１５８  ・・・モジュール
１６６  ・・・ジョイント
１７２  ・・・接続面
１７４  ・・・境界面
１７８  ・・・雄モジュール
１８０  ・・・雌モジュール
１８２  ・・・外側モジュール
１８４，１９２，１９４  ・・・突起
１８６，１８８，１９０  ・・・溝
１９８  ・・・エンドモジュール
２０２  ・・・ポリマサポート
２０４  ・・・突起
２０６  ・・・ベース
２０８  ・・・脚
【図０】
0006377606.tif 000002
【図１】
0006377606.tif 000003
【図２】
0006377606.tif 000004
【図３】
0006377606.tif 000005
【図４】
0006377606.tif 000006
【図５】
0006377606.tif 000007
【図６】
0006377606.tif 000008
【図７】
0006377606.tif 000009
【図８】
0006377606.tif 000010
【図９】
0006377606.tif 000011
【図１０】
0006377606.tif 000012
【図１１】
0006377606.tif 000013
【図１２】
0006377606.tif 000014
【図１３】
0006377606.tif 000015
【図１４】
0006377606.tif 000016
【図１５】
0006377606.tif 000017